(57)【要約】【課題】セットに時間がかかりすぎず、且つ操作によって、本体ケースなどが破損することのない、ホース固定用締付具のストッパ取外し工具を提供する。【解決手段】ストッパ３に嵌入する掴部１１と、この掴部１１を支持する作用腕１２と、この作用腕１２を回動可能に取付けて、空調機本体ＡｍのホースＨの接続部近傍に接地し、ここを支点として傾斜操作する操作手段１３とを備える。  掴部１１の枠部材１１ａ，１１ｂにおける端部Ｅ間の間隔を狭くし、ストッパ３を枠部材１１ａ，１１ｂ間に嵌入した際、枠部材１１ａ，１１ｂの幅狭の端部に、ストッパ３の下縁が当たるようにして、ストッパ３を引き上げ可能とする。【選択図】図３
2008168363.tif 000002
【特許請求の範囲】
【請求項１】
開ループ状の弾性環状部材（２）と、この弾性環状部材（２）の両端部を一体的に保持するストッパ（３）とを有するホース固定用締付具（１）において、前記ストッパ（３）を取り外すことで、機器本体のホース（Ｈ）接続箇所に前記ホース固定用締付具（１）を挟持するためのストッパ取外し工具（１０）であって、
前記ストッパ（３）に装着する掴部（１１）と、
この掴部（１１）を支持する作用腕（１２）と、
この作用腕（１２）を回動可能に連結して、機器本体のホース（Ｈ）の接続部近傍に接地して、ここを支点として傾斜操作する操作手段（１３）とを備え、
この操作手段（１３）を、ホース（Ｈ）の接続部近傍の機器本体上を支点として傾斜操作することで、前記作用腕（１２）を連動させ、前記掴部（１１）を上方に変位させるようにして前記ストッパ（３）を取り外すようにしたことを特徴とするホース固定用締付具のストッパ取外し工具。
【請求項２】
前記掴部（１１）は、一対の枠部材（１１ａ，１１ｂ）を互いに対向するように配置して、枠部材（１１ａ，１１ｂ）間に、前記ホース固定用締付具（１）におけるストッパ（３）を受け入れるべき空間を画成し、
これら一対の枠部材（１１ａ，１１ｂ）における末端側の端部（Ｅ）は、互いに対向する側に突出しており、
これら端部（Ｅ）間の間隔が狭くなっていることを特徴とする請求項１記載のホース固定用締付具のストッパ取外し工具。
【請求項３】
前記作用腕（１２）は、一方の端部側に、一対の枠部材（１１ａ，１１ｂ）を取着するための鍔部（１２ａ，１２ａ）を形成し、
他方の端部側は、傾斜面として、操作手段（１３）の基部に当たることで、前記作用腕（１２）の変位度合いを所定角度範囲内に規制することを特徴とする請求項１記載のホース固定用締付具のストッパ取外し工具。
【請求項４】
前記操作手段（１３）は、前記作用腕（１２）を介して前記掴部（１１）を支える基部（１３ａ）と、基部（１３ａ）に延設した操作レバー（１３ｂ）とを具備し、
前記基部（１３ａ）は基端側に、装着すべきケースに接地する円弧部（Ｒ）を形成し、
前記基部（１３ａ）中間に前記支持腕（１４）を突設し、
前記支持腕（１４）における作用腕（１２）の軸止め位置の角部は、掴部（１１）の変位角度を決めるための傾斜角度に形成していることを特徴とする請求項１記載のホース固定用締付具のストッパ取外し工具。
【請求項５】
前記支持腕（１４）における作用腕（１２）の軸止め位置は、基部（１３ａ）の基端側の円弧部（Ｒ）に下ろした垂直方向の寸法（ｈ１）に対し、作用腕（１２）の軸止め位置から掴部（１１）の末端側までの寸法（ｈ２）を若干長く設定し、且つホース（Ｈ）の接続部傍らの、機器本体上の接地点である、基部（１３ａ）基端側の円弧部（Ｒ）の位置がストッパ（３）の位置に比較して高いことを特徴とする請求項４記載のホース固定用締付具のストッパ取外し工具。
【発明の詳細な説明】
【技術分野】
【０００１】
本発明は、ホース固定用締付具のストッパ取外し工具に関するものである。
【背景技術】
【０００２】
例えば空調機のドレインホースＨを、空調機本体Ａｍから外れないように補助する手段としてホース固定用締付具１（以下、ホースクリップ１）がある（図８参照）。ホースクリップ１は、弾性的に内径を縮小するように形成された弾性環状部材２で構成され、この弾性環状部材２の弾性力に抗して、内径を拡大するように広げて、弾性環状部材２の起立させた両端部を重ねあわせ、その両端部にストッパ３をかぶせて保持するようにしている。
ホース装着時には、弾性環状部材２を装着箇所に嵌入後、プライヤなどの取外し工具でストッパ３を引き抜くことで、弾性環状部材２の弾性力により装着箇所においてホースＨを締付け、ホースＨを脱落することがないようにしている（図９参照）。
【０００３】
そのような取外し工具（プライヤ）の一例として、特許文献１では、ホースクリップのホルダ引き抜き具において、握り部材と挟持部材とを、連結アームを介して連動するように構成している。
この引き抜き具では、握り部材を少し握ると、挟持部材がホースクリップのホルダを掴み、更に強く握ると挟持部材がホルダを挟持したまま後退してホースクリップからホルダを引き抜くように形成する。
ベースプレートに押さえ部材を取付け、この押さえ部材でホースクリップを押さえる。
ホルダの引き抜き時に、ホースクリップが引き寄せられないので、引き抜き作業がしやすくなり、ホルダの引き抜き直後にホースクリップが動いて曲がったり締付け位置がずれたりするのを未然に防止することができるとしている。
【０００４】
【特許文献１】特開平１１−２５４３４４号公報
【０００５】
その他、取外し工具としては、末端側にストッパが係合可能なグリップを設けたレバーがある。取外し作業の際、グリップをホースクリップのストッパに係合させて、このグリップをストッパごとレバーを傾倒することで、てこの力でストッパを取り外すようにしている。
しかしながら、レバーの支点がホース接続部にあることから、レバーを傾倒することにより、ホースクリップ全体および本体ケース側に大きな負担がかかり、本体ケース側が破損するおそれがある。
【０００６】
そこで、レバーの捻り力がかかるホース接続部に、予め補強用の受け治具を嵌入させ、レバー傾倒時に、この補強用の受け治具に捻り力がかかるようにして、破損を回避するという試みがなされている。
【発明の開示】
【発明が解決しようとする課題】
【０００７】
しかしながら、補強用の受け治具を嵌入させるということから、取外し工具のセットに時間がかかりすぎるという課題がある。
本発明はこのような課題を改善するために提案されたものであって、取外し工具のセットに時間がかかりすぎるということがなく、且つ取外し工具の操作によって、本体ケースなどが破損してしまうということもなく、容易にホースクリップのストッパを外すことができる、ホース固定用締付具のストッパ取外し工具を提供することを目的とする。
【課題を解決するための手段】
【０００８】
上記の課題を解決するために、請求項１に記載の発明では、ホース固定用締付具（１）のストッパ（３）を取り外すことで、機器本体のホース（Ｈ）接続箇所にホース固定用締付具（１）を挟持するためのストッパ取外し工具（１０）であって、操作手段（１３）を、ホース（Ｈ）の接続部近傍の機器本体上を支点として傾斜操作することで、作用腕（１２）を連動させ、掴部（１１）を上方に変位させるようにしてストッパ（３）を取り外すようにした。
このような構成により、取外し工具の操作によって、空調機本体（Ａｍ）のケースなどが破損してしまうということもなく、容易にホースクリップのストッパ（３）を外すことができる。
【０００９】
なお、上記各構成要素、並びに以下に記載する各構成要素に付した括弧内の符号は、後述する実施形態記載の具体的手段との対応関係を示す一例である。
【００１０】
また、請求項２に記載の発明では、掴部（１１）は、一対の枠部材（１１ａ，１１ｂ）を互いに対向するように配置して、枠部材（１１ａ，１１ｂ）間に、ホース固定用締付具（１）におけるストッパ（３）を受け入れるべき空間を画成し、これら一対の枠部材（１１ａ，１１ｂ）における末端側の端部（Ｅ）は、互いに対向する側に端部（Ｅ）が突出しており、これら端部（Ｅ）間の間隔が狭くなっている。
このような空間の形状により、弾性環状部材（２）のストッパ（３）を枠部材（１１ａ，１１ｂ）間に嵌入した際、枠部材（１１ａ，１１ｂ）の幅狭の端部に、ストッパ（３）の縁が当たり、これにより、ストッパ（３）を引き上げ可能となる。
【００１１】
また、請求項３に記載の発明では、作用腕（１２）は、一方の端部側に、一対の枠部材（１１ａ，１１ｂ）を取着するための鍔部（１２ａ，１２ａ）を形成し、他方の端部側は、傾斜面として、操作手段（１３）の基部に当たることで、変位度合いを所定角度範囲内に規制するようにした。
このため、弾性環状部材（２）のストッパ（３）に、掴部（１１）を装着する際、支持する作用腕（１２）を操作手段（１３）を所定角度内に傾斜させて、容易にセットすることができる。
【００１２】
また、請求項４に記載の発明では、操作手段（１３）は、作用腕（１２）を介して掴部（１１）を支える基部（１３ａ）と、基部（１３ａ）に延設した操作レバー（１３ｂ）とを具備し、基部（１３ａ）は基端側に、装着すべきケースに接地する円弧部（Ｒ）を形成し、基部（１３ａ）中間に支持腕（１４）を突設し、支持腕（１４）における作用腕（１２）の軸止め位置の角部は、掴部（１１）の変位角度を決めるための傾斜角度に形成するようにした。
このため、操作手段（１３）における基部（１３ａ）の基端側に円弧部（Ｒ）を形成することで、操作レバー（１３ｂ）を変動ない円滑な操作力で操作可能となる。
【００１３】
さらに、請求項５に記載の発明では、支持腕（１４）における作用腕（１２）の軸止め位置は、基部（１３ａ）の基端側の円弧部（Ｒ）に下ろした垂直方向の寸法（ｈ１）に対し、作用腕（１２）の軸止め位置から掴部（１１）の末端側までの寸法（ｈ２）を若干長く設定し、且つホース（Ｈ）の接続部傍らの、機器本体上の接地点である、基部（１３ａ）基端側の円弧部（Ｒ）の位置がストッパ（３）の位置に比較して高くしている。
このため、操作手段（１３）における操作レバー（１３ｂ）の傾斜操作により、作用腕（１２）および掴部（１１）を連動させて、掴部（１１）の末端側を上方へ傾斜変位させることができる。
【発明を実施するための最良の形態】
【００１４】
図１、図２に、本発明にかかるホース固定用締付具のストッパ取外し工具１０を示す。
このホース固定用締付具のストッパ取外し工具１０は、例えば空調機の空調機本体ＡｍのホースＨの接続部に、ホース固定用締付具１を装着する際、ホース固定用締付具１のストッパ（後述）を取り外すための工具である。
【００１５】
ホース固定用締付具１は、周知の構成であり、例えば弾性的に内径を縮小する弾性環状部材２と、この弾性環状部材２の両端部に装着して、弾性環状部材２の内径を所定の内径に保持するストッパ３とを有している（図３参照）。
【００１６】
弾性環状部材２は、帯状のばね係数の大きい金属板を、ループ形状に加工したもので、両端部２Ｅ，２Ｅを、ストッパ３によって、一箇所で交差接触できるように、起立屈曲させている。
【００１７】
ストッパ３は、断面略逆Ｕ形状に形成して、弾性環状部材２の両端部２Ｅ，２Ｅを一箇所で交差接触した状態で保持可能とし、両端部２Ｅ，２Ｅに側方から装着することができるようにしている。また、ストッパ３は、両端部２Ｅ，２Ｅに上方から被せるようなキャップ形状のものも考えられる。
ストッパ３を弾性環状部材２の両端部２Ｅ，２Ｅに装着することによって、弾性環状部材２が弾性力によって元の内径が縮小した状態に戻ろうとすると共に、両端部２Ｅ，２Ｅには元の互いに離隔した状態に戻ろうとする力が作用して、ストッパ３の内面が押し付けられることで、ストッパ３は、脱落することなく保持される構造である。
【００１８】
すなわち、ホース固定用締付具１は、非使用時には、この弾性環状部材２の弾性力に抗して、内径を拡大するように広げて、互いに離隔している両端部２Ｅ，２Ｅを、一箇所で交差するように近づけて、弾性環状部材２の両端部２Ｅ，２Ｅを重ね合わすようにし、その両端部２Ｅ，２Ｅにストッパ３を装着して保持するようにしている。
そして、ホース固定用締付具１をホースＨに装着する時には、弾性環状部材２を装着箇所に嵌入後、取外し工具１０でストッパ３を引き抜くことで、弾性環状部材２の弾性力により装着箇所においてホースＨを締付け、ホースＨを脱落することがないようにしている。
【００１９】
そこで、ストッパ取外し工具１０を説明する。
ストッパ取外し工具１０は、ストッパ３に嵌入する掴部１１と、この掴部１１を支持する作用腕１２と、この作用腕１２を回動可能に取付けて、空調機本体ＡｍのホースＨの接続部近傍に接地し、ここを支点として傾斜操作する操作手段１３とを備えている。
【００２０】
掴部１１は、図３に示すように、ホース固定用締付具１のストッパ３を受け入れることができるように、ストッパ３の外形に適応させた形状としている。この場合、図示するように、一対の断面略Ｊ型枠部材１１ａ，１１ｂを互いに対向するように作用腕１２にボルト止めしている。
一対の枠部材１１ａ，１１ｂが、対向するように作用腕１２にボルト止めされると、ボルト止めされた端部と反対側、すなわち末端側の端部Ｅは、互いに対向する側に端部Ｅが突出しており、これら端部Ｅ間の間隔が狭くなっている。このような空間の形状により、弾性環状部材２のストッパ３を枠部材１１ａ，１１ｂ間に嵌入した際、枠部材１１ａ，１１ｂの幅狭の端部に、ストッパ３の下縁が当たるようになっており、これにより、ストッパ３を引き上げ可能にしている。
【００２１】
作用腕１２は、ストッパ取外し工具１０をホースＨの接続部近傍にセットした際、操作手段１３との長さ寸法の関係から、掴部１１の支持位置を特定するためのものである。
この場合、作用腕１２の一方の端部側には、一対の枠部材１１ａ，１１ｂをずれなくボルト止めするための鍔部１２ａ，１２ａを、枠部材１１ａ，１１ｂの肉厚分、突出形成している。
また、作用腕１２の他方の端部側は、傾斜面としており、作用腕１２を変位させた際に、後述する操作手段１３の基部に当たることで、変位度合いが所定角度範囲内に規制されるようになっている。
そして、作用腕１２は、中間箇所において、操作手段１３の基部に軸止めされる。
【００２２】
操作手段１３は、作用腕１２を介して掴部１１を支える基部１３ａと、基部１３ａに延設した操作レバー１３ｂとを具備する。
【００２３】
基部１３ａは基端側に、装着すべきケースに接地する円弧部Ｒを形成している。
また基部中間には、支持腕１４を突設している。
基部１３ａは、基端側に円弧部Ｒを形成することで、操作レバー１３ｂを変動ない円滑な操作力で操作可能としている。
【００２４】
支持腕１４は、掴部１１の固定位置、作動半径、および変位角度を決定付けるように軸止めしている。すなわち、支持腕１４における作用腕１２の軸止め位置において、基部１３ａの基端側の円弧部Ｒに下ろした垂直方向の寸法ｈ１に対し、作用腕１２の軸止め位置から掴部１１の末端側端部Ｅまでの寸法ｈ２を若干長く設定している（図４参照）。これは、ホースＨの接続部に装着されるホース固定用締付具１の両端部に装着したストッパ３の位置に、掴部１１が適合するようにし、且つ、ホースＨの接続部傍らの、空調機本体Ａｍケース上の接地点である、基部１３ａ基端側の円弧部Ｒの位置がストッパ３の位置に比較して、若干高いことを示している。
【００２５】
また、支持腕１４の軸止め位置近傍の角部は、掴部１１の変位角度を決めるための傾斜角度に形成している。
【００２６】
次に、操作レバー１３ｂは、基部１３ａに対し、軸方向に延びるように取付けられている。
この操作手段１３を、ホースＨの接続部近傍の空調機本体Ａｍケース上を支点として傾斜操作することで、作用腕１２を連動させ、掴部１１を上方に変位させるようにしてストッパ３を取り外すようにしている。
【００２７】
本発明にかかるホース固定用締付具のストッパ取外し工具１０は、以上のように構成されるものであり、次に、ストッパ取外し工具１０の作用について説明する。
空調機のドレインホースＨを、空調機本体ＡｍにおけるホースＨの接続部に接続する際、両端部にストッパ３を装着したホース固定用締付具１を、予めホースＨに挿通しておき、次いで、ホースＨを空調機本体ＡｍにおけるホースＨの接続部に接続し、このホースＨの接続部にホース固定用締付具１をもたらす。このとき、ストッパ３がホースＨの接続部の上部側に来るようにする。この状態では、ホース固定用締付具１は、ホースＨの接続部に、若干余裕のある状態で、もたらされている。
【００２８】
そこで、ストッパ取外し工具１０によって、ホースＨの接続部をホース固定用締付具１により締付け固定するために、ホース固定用締付具１の両端部を保持するストッパ３を取り外すわけであるが、先ず、掴部１１を支持した作用腕１２を、操作手段１３における基部１３ａに対し、最大限、傾けた状態で、ホース固定用締付具１の両端部を保持するストッパ３を、掴部１１内に側方から差し入れていく（図５参照）。
これにより、操作手段１３における基部１３ａが持ち上がった状態となるので、基部１３ａ下端側が空調機本体Ａｍにぶつかることなく、ストッパ３に対し、ストッパ３側方から掴部１１を装着していくことができる。
【００２９】
ストッパ３に対し、ストッパ３側方から掴部１１を装着していくと、掴部１１の枠部材１１ａ，１１ｂにおける末端側の幅狭の端部Ｅに、ストッパ３の下縁が当たるようになっており、これにより、ストッパ３に対して、操作手段１３による引き上げ操作が可能となる（図６参照）。
【００３０】
そして、操作手段１３における操作レバー１３ｂを立てて行く。これにより、基部１３ａの基端側の円弧部Ｒが、ホースＨの接続部傍らの、空調機本体Ａｍケース上に接地して、基部１３ａの基端側の円弧部Ｒを支点として、操作手段１３における操作レバー１３ｂを傾斜操作できるようになり、これにより、ストッパ取外し工具１０のセットが完了する（図２参照）。
【００３１】
次に、以上のようにしてセットされたストッパ取外し工具１０により、操作手段１３を操作して、ホース固定用締付具１の両端部を保持するストッパ３を取り外す操作を説明する。
操作手段１３における操作レバー１３ｂを、図７中、左方向に傾斜操作していくと、基部１３ａの基端側の円弧部Ｒを支点として、基部１３ａは、支点上の空調機本体Ａｍケース側に傾く。操作レバー１３ｂは、基部１３ａ基端側の円弧部Ｒにより、変動ない円滑な操作力で操作することができる。
【００３２】
操作レバー１３ｂを、左方向に傾斜操作していくと作用腕１２および掴部１１も連動して左方向へ傾斜する。
このとき、ストッパ３に係合した掴部１１末端側の幅狭の端部Ｅの位置は、空調機本体Ａｍケース上の支点である、基部１３ａ基端側の円弧部Ｒより、下の位置にある。
また、作用腕１２の軸止め位置と同じ高さから、操作レバー１３ｂ基部１３ａ基端側の円弧部Ｒまでの長さ寸法ｈ１と、作用腕１２の軸止め位置と掴部１１末端側端部Ｅまでの長さ寸法ｈ２と、作用腕１２の軸止め位置の水平方向の長さｈ３との関係と、操作レバー１３ｂ基部１３ａ基端側の円弧部Ｒ回りのモーメントにより、掴部１１末端側の幅狭の端部Ｅは、傾斜しながら上方に変位し、これにより、ストッパ３に対して、操作手段１３による引き上げ操作を行うことができ、容易にストッパ３をホース固定用締付具１の両端部から取り外すことができる。
【００３３】
ホース固定用締付具１の両端部からストッパ３を取り外すと、ホース固定用締付具１は、弾性力によって、内径を収縮する方向に復元し、両端部は、双方がホースＨの接続部外周に沿って離隔移動し、これにより、ホースＨの接続部をホース固定用締付具１により、締付け固定することができる（図７参照）。
【００３４】
以上のように、本発明にかかるホース固定用締付具のストッパ取外し工具１０では、これまでのように、ホースＨの接続部に対し、レバー操作により、捻り力に起因する負担がかかることはなく、ホースＨの接続部が破損するということはない。
また、ストッパ取外し工具１０をセットする際、操作レバー１３ｂを傾斜させた状態で、ストッパ３に対し、ストッパ３側方から掴部１１を装着させることでセットが完了するので、大幅にセット時間を短縮することができる。
掴部１１の枠部材１１ａ，１１ｂにおける末端側の幅狭の端部Ｅに、ストッパ３の下縁が当たるようになっており、これにより、ストッパ３に対して、操作手段１３による引き上げ操作が可能とすることができる。
【図面の簡単な説明】
【００３５】
【図１】本発明にかかるホース固定用締付具のストッパ取外し工具の一例を示す、側面図である。
【図２】図１に示すストッパ取外し工具を機器本体のホース接続箇所にセットした状態を示す、側面図である。
【図３】図１に示す、ストッパ取外し工具の要部斜視説明図と、ストッパ取外し工具により取り外し操作がなされる、ホース固定用締付具の一例を示した、斜視図である。
【図４】図１に示すストッパ取外し工具の動作原理を示した模式図である。
【図５】図１に示す、ストッパ取外し工具によるストッパ取外し工程を説明する側面図である。
【図６】図１に示す、ストッパ取外し工具によるストッパ取外し工程を説明する側面図である。
【図７】図１に示す、ストッパ取外し工具によりストッパを取外した状態と、ストッパ取外し工具により取り外し操作がなされた際のホース断面説明図である。
【図８】ホース固定用締付具を装着した模式的な側面図と、そのホース固定用締付具の一例を示した、斜視説明図である。
【図９】図８に示すホース固定用締付具を装着した状態を示す、斜視説明図である。
【符号の説明】
【００３６】
１    ホース固定用締付具
２    弾性環状部材
２Ｅ    両端部
３    ストッパ
１０    ストッパ取外し工具
１１    掴部
１１ａ，１１ｂ    枠部材
１２    作用腕
１２ａ，１２ｂ    鍔部
１３    操作手段
１３ａ    基部
１３ｂ    操作レバー
１４    支持腕
Ｈ    ホース
Ｅ    端部
Ａｍ    空調機本体
Ｒ    円弧部
【図１】
2008168363.tif 000003
【図２】
2008168363.tif 000004
【図３】
2008168363.tif 000005
【図４】
2008168363.tif 000006
【図５】
2008168363.tif 000007
【図６】
2008168363.tif 000008
【図７】
2008168363.tif 000009
【図８】
2008168363.tif 000010
【図９】
2008168363.tif 000011